(57)【要約】【課題】  ワイパーアームのアームピースに装着されるアームピースカバーであって、ワイパーアームの外観を向上させうるものを提供する。【解決手段】  リテーナ３の先端３Ｂに隣接して配置され、アームピース４に装着され得るアームピースカバー１０に、上面１１と、下面１２と、第１の側面１３と、第２の側面１４とを備える。上面１１と下面１２の間には第１の隙間１５が、第２の側面１４と下面１２の間には第１の隙間１５の前方に位置する第２の隙間１６が、それぞれ形成され、アームピース４は、第１及び第２の隙間１５、１６を通ってアームピースカバー１０にはめ込まれる。上面１１及び第１の側面１３の厚みを、リテーナ３とアームピース４間の段差と略同じ大きさとし、リテーナ３とアームピースカバー１０が段差無くなだらかに連なるようにする。下面１２には、アームピース４のダボ４Ｂと嵌合するダボ孔１２Ａが形成され、アームピースカバー１０の脱落が防止される。【選択図】      図４
2008230471.tif 000002
【特許請求の範囲】
【請求項１】
アームピースをリテーナで保持するワイパーアームに用いられ、前記リテーナの先端に隣接して配置され、前記アームピースに装着され得るアームピースカバーにおいて、
前記アームピースの上側に当接して配置可能な上面と、
前記アームピースの下側に当接して配置可能な下面と、
前記アームピースの一方の側部に当接して配置可能な第１の側面と、
前記アームピースの他方の側部に当接して配置可能な第２の側面と
を備え、
前記上面と前記下面の間に第１の隙間を形成し、
前記下面と前記第２の側面との間に前記第１の隙間から連なる第２の隙間を形成し、
前記アームピースが、前記第１及び第２の隙間を通して、前記上面と下面の間及び前記第１と第２の側面の間にはめ込まれ得るようにしたアームピースカバー。
【請求項２】
前記上面は、前記リテーナの先端に当接して配置可能である請求項１に記載のアームピースカバー。
【請求項３】
前記上面の厚みは、前記リテーナの上面と前記アームピースの上面の間の段差の大きさと略等しくなっている請求項２に記載のアームピースカバー。
【請求項４】
前記第一の側面の厚みは、前記リテーナの側面と前記アームピースの側面の間の段差の大きさと略等しくなっている請求項２又は請求項３に記載のアームピースカバー。
【請求項５】
前記第２の側面の前記下面と向き合う端辺を傾斜させた請求項１から請求項４のいずれか１つに記載のアームピースカバー。
【請求項６】
前記下面又は前記上面に、前記アームピースに対する前記アームピースカバーの位置を固定するための位置決め手段を備えた請求項１から請求項５のいずれか１つに記載のアームピースカバー。
【請求項７】
前記位置決め手段は、前記アームピースに設けられたダボ又はダボ孔に嵌合するダボ孔又はダボである請求項６に記載のアームピースカバー。
【請求項８】
前記アームピースカバーは、弾性部材で形成されている請求項１から請求項７のいずれか１つに記載のアームピースカバー。
【発明の詳細な説明】
【技術分野】
【０００１】
本発明は、ワイパーアームのアームピースに装着されるアームピースカバーに関する。
【背景技術】
【０００２】
ワイパー装置に備えられるワイパーアームとしては、リテーナにアームピースを保持したものが知られている。図６、図７には、このようなワイパーアーム１を示す。図示されるように、ワイパーアーム１は、アームヘッド２と、アームヘッド２に回動可能に連結されたリテーナ３と、リテーナ３に保持されたアームピース４とから構成される。
【発明の開示】
【発明が解決しようとする課題】
【０００３】
このようなワイパーアーム１においては、アームピース４は、リテーナ３の先端３Ｂから前方に延び出すようになっている。このため、リテーナ３の先端３Ｂにおいて、リテーナ３とアームピース４の間には、リテーナ３の厚み分の段差が生じてしまい、この段差の存在は、ワイパーアーム１の外観を損ねていた。
【０００４】
本発明はこのような問題点に着目してなされたもので、ワイパーアームのアームピースに装着されるアームピースカバーであって、ワイパーアームの外観を向上させうるものを提供することを目的とする。
【課題を解決するための手段】
【０００５】
本発明は、アームピースをリテーナで保持するワイパーアームに用いられ、前記リテーナの先端に隣接して配置され、前記アームピースに装着され得るアームピースカバーにおいて、前記アームピースの上側に当接して配置可能な上面と、前記アームピースの下側に当接して配置可能な下面と、前記アームピースの一方の側部に当接して配置可能な第１の側面と、前記アームピースの他方の側部に当接して配置可能な第２の側面とを備え、前記上面と前記下面の間に第１の隙間を形成し、前記下面と前記第２の側面との間に前記第１の隙間から連なる第２の隙間を形成し、前記アームピースが、前記第１及び第２の隙間を通して、前記上面と下面の間及び前記第１と第２の側面の間にはめ込まれ得るようにした。
【０００６】
前記上面は、前記リテーナの先端に当接して配置可能であってもよい。
前記上面の厚みは、前記リテーナの上面と前記アームピースの上面の間の段差の大きさと略等しくしてもよい。
【０００７】
前記第一の側面の厚みは、前記リテーナの側面と前記アームピースの側面の間の段差の大きさと略等しくしてもよい。
前記第２の側面の前記下面と向き合う端辺を傾斜させてもよい。
【０００８】
前記下面又は前記上面に、前記アームピースに対する前記アームピースカバーの位置を固定するための位置決め手段を備えてもよい。
前記位置決め手段は、前記アームピースに設けられたダボ又はダボ孔に嵌合するダボ孔又はダボであってもよい。
【０００９】
前記アームピースカバーは、弾性部材で形成されていてもよい。
【発明の効果】
【００１０】
本発明によれば、アームピースカバー（例えばアームピースカバー１０）は、上面（例えば上面１１）と下面（例えば下面１２）でアームピース（例えばアームピース４）を上下から挟持して保持し、第１の側面（例えば側面１３）と第２の側面（例えば側面１４）でアームピースを左右から挟持して保持するので、アームピースに対して脱落しにくく装着できる。また、第１の隙間（例えば隙間１５）及び第２の隙間（例えば隙間１６）内にアームピースをはめ込むことにより、アームピースカバーのアームピースへの装着がなされるので、装着作業は容易である。
【００１１】
また、上面の厚みを、リテーナ（例えばリテーナ３）の上面とアームピースの上面の間の段差の大きさと略等しくし、第１の側面の厚みを、リテーナの側面とアームピースの側面の間の段差の大きさと略等しくすれば、アームピースカバーとリテーナは、段差無くなだらかに連なるようにできるので、アームピースカバーの先端部（第１の側面１３の延長部１３Ａ及び第２の側面１３）のデザインを整えることにより、ワイパーアーム（例えばワイパーアーム１）全体を段差のない形状とすることができ、ワイパーアームの外観が向上する。
【００１２】
また、第２の側面の下面と向き合う端辺（例えば傾斜部１４Ａ）を傾斜させれば、第１の隙間と第２の隙間の作る角度を小さくできるので、第１の隙間及び第２の隙間にアームピースをはめ込み易くなり、アームピースカバーの装着が更に容易となる。
【００１３】
また、下面又は上面に、アームピースに対するアームピースカバーの位置を固定するための位置決め手段（例えばアームピース４のダボ４Ｂに嵌合するダボ孔１２Ａ）を備えれば、アームピースカバーは、アームピースに対して適切な位置に正しく配置されるとともに、アームピースカバーのアームピースからの脱落は、より確実に防止できる。
【発明を実施するための最良の形態】
【００１４】
以下、添付図面を参照して本発明の各実施形態を説明する。
図１、図２には、本実施形態のワイパーアームピースを装着したワイパーアームの全体構成を示す。図示されるように、ワイパーアーム１は、アームヘッド２と、リテーナ３と、アームピース４とから構成される。
【００１５】
アームヘッド２は、ワイパーアーム１の基端側を構成する部分で、その基端は、リンク機構（図示せず）を介して駆動モータ（図示せず）に連結される連結部２Ａとなっている。一方、アームヘッド２の先端部２Ｂには、リテーナ３の基端部３Ａが回動可能に連結されている。
【００１６】
リテーナ３は、アームピース４の基端側を収容して保持する部材で、その先端部３Ｂからアームピース４の先端側が突出している。アームピース４は、ワイパーブレード（図示せず）と連結される部材で、先端にＵ字型のフック部４Ａを備えている。このフック部４Ａがワイパーブレードの装着部に係合することにより、ワイパーアーム１とワイパーブレードの連結がなされる。
【００１７】
アームピース４には、リテーナ３の先端３Ｂと隣接する位置に、アームピースカバー１０が装着される。アームピースカバー１０は、例えば樹脂等の弾性部材で形成されたものである。
【００１８】
図３には、ワイパーアーム１のアームピースカバー１０周辺部分を示す。また、図４には、アームピースカバー１０を単体で示す。図示されるように、アームピースカバー１０は、上面１１と、下面１２と、第１の側面１３と、第２の側面１４とから構成される。
【００１９】
上面１１は、アームピースカバー１０がアームピース４に装着されたときにアームピース４の上側に当接して配置される部分で、略長方形の板状の部分である。上面１１の厚みは、アームピース４の上面とリテーナ３の上面との間の段差ｄと略等しくなっている。これにより、アームピースカバー１０がアームピース４に装着されたときに、リテーナ３の上面とアームピースカバー１０の上面１１が、段差無くなだらかに連なるようになっている。
【００２０】
第１の側面１３は、アームピースカバー１０がアームピース４に装着されたときにアームピース４の一方の側部に当接して配置される部分で、上面１１の一方の側部から下方に向けて略直角に延び出している。側面１３の先端部（アームピース４への装着時にリテーナ３と反対側に配置される端部）は、上面１１より前方に延び出す延長部１３Ａとなっている。延長部１３の上面は、前方に向けてなだらかに傾斜した形状となっている。また、側面１３の厚みは、アームピース４の側面とリテーナ３の側面との間の段差と略等しくなっている。これにより、アームピースカバー１０がアームピース４に装着されたときに、リテーナ３の側面とアームピースカバー１０の側面１３は、段差無くなだらかに連なるようになっている。
【００２１】
下面１２は、アームピースカバー１０がアームピース４に装着されたときにアームピース４の下側に当接して配置される略長方形の板状の部分で、側面１３の下端部から略直角に、上面１１と同じ側に延び出している。下面１２は、上面１１と略同じ幅を有する一方で、その長さ（アームピース４の長手方向の幅）は、上面１１の略半分程度となっており、アームピースカバー１０の基端側（アームピース４への装着時にリテーナ３と当接して配置される側）に配置されている。また、下面１２は、上面１１との間にアームピース４をちょうど挟み込める空間が形成されるように、上面１１からアームピース４の厚み程度の間隔をもって、上面１１と平行に配置されている。これにより、アームピースカバー１０の側部には、上面１１と下面１２の間の隙間１５が形成されている。
【００２２】
下面１２には、ダボ孔１２Ａが形成されている。図５に示すように、アームピース４の下面には、ダボ４Ｂが形成されている。アームピースカバー１０がアームピース４に装着されたとき、下面１２のダボ孔１２Ａに、アームピース４のダボ４Ｂが嵌合する。これにより、アームピースカバー１０のアームピース４の長手方向への動きが制限され、アームピースカバー１０の脱落が防止される。
【００２３】
図４に示すように、第２の側面１４は、アームピースカバー１０がアームピース４に装着されたときにアームピース４の側面１３と当接する側面と反対側の側面に当接する部分であり、上面１１の側面１３と反対側の側部から下方に向けて略直角に延び出している。側面１４は、略平行四辺形形状の板部材で、そのアームピース４の長手方向の幅は、上面１１の半分以下となっており、上面１１の前端付近から前方に向けて延び出している。これにより、下面１１の前端と、側面１４の後端辺である傾斜部１４Ａとの間に、アームピース４が挿入されうる隙間１６が形成されている。また、側面１４の上面１１よりも前方に延び出した部分は、その上面が前方に向けてなだらかに傾斜した形状となっており、第１の側面の延長部１３Ａと、略左右対称となっている。
【００２４】
つぎに、本実施形態のアームピースカバー１０のアームピース４への装着方法について説明する。アームピースカバー１０のアームピース４への装着時には、アームピースカバー１０の第２の側面１４側を、アームピース４の一方の側部に向けて配置し、アームピースカバー１０の隙間１５及び隙間１６にアームピース１０を挿入していく。この場合、アームピースカバー１０は、樹脂等の弾性部材で形成されているので、適度に変形して、アームピース４を隙間１５及び隙間１６内に導入していくことができる。また、側面１４の傾斜部１４Ａは、前方に向けて傾斜しているので、隙間１５と隙間１６は小さな角度でなだらかに連なっており、アームピース４の挿入は、側面１４との干渉により阻害されることなくスムーズに行える。
【００２５】
このようにアームピース４をアームピースカバー１０の隙間１５及び隙間１６に対して挿入していくと、アームピース４は、側面１４を乗り越えて行き、上下方向には上面１１と下面１２の間に、幅方向には側面１３Ａと側面１４Ａとの間に、それぞれ配置されて保持される。また、アームピース４のダボ４Ｂが、アームピースカバー１０のダボ孔１２Ａに嵌合することにより、アームピース４の長手方向へのアームピースカバー１０の位置決めがなされる。これにより、アームピースカバー１０は、その上面１１及び下面１２の後端がリテーナ３の前端３Ｂに当接する位置に正しく配置され、リテーナ３とアームピースカバー１０が段差無くなだらかに連なった状態となる。
【００２６】
以上のように、本実施形態のアームピースカバー１０によれば、アームピースカバー１０の上面１１及び側面１３の厚みが、リテーナ３とアームピース４の間の段差の大きさと略等しくなっているので、アームピースカバー１０とリテーナ３は段差無くなだらかに連なるようにできる。さらに、第１の側面１３の延長部１３Ａ及び第２の側面１３の形状は、前方に向けてなだらかに傾斜した形状となっているので、ワイパーアーム１は全体として段差のない形状となる。よって、ワイパーアーム１の外観が向上する。
【００２７】
また、アームピースカバー１０の装着は、アームピースカバー１０の隙間１５及び１６にワイパーアーム４をはめ込むだけで行えるので、極めて容易である。
また、アームピースカバー１０は、上面１１及び下面１２でアームピース４を上下から挟持して保持するとともに、側面１３及び側面１４でアームピース４を左右から挟持して保持するようになっているので、アームピースカバー１０に対して脱落しにくい。さらに、アームピースカバー１０の下面１２Ａに形成されたダボ孔１２Ａに、アームピース４のダボ４Ｂが嵌合するので、アームピースカバー１０は、アームピース４に対して適切な位置に正しく配置されるとともに、アームピースカバー１０のアームピース４からの脱落は、より確実に防止できる。
【００２８】
なお、上記実施形態では、アームピースカバー１０の下面１２Ａにダボ孔１２Ａを設け、アームピース４の下面にダボ４Ｂを設けたが、本発明の範囲は、このような形態に限られない。例えば、アームピース１０の下面１２Ａにダボを設け、アームピース４の下面にダボ孔を設けることも可能である。また、アームピース１０の上面１２Ａにダボ又はダボ孔を設け、アームピース４の上面にダボ孔又はダボを設けるようにしても良い。さらに、アームピースカバー１０とアームピース４間の位置決め手段は、ダボとダボ孔に限られず、アームピース４の長手方向へのアームピースカバー１０の動きを規制しうる任意の構成が含まれる。
【図面の簡単な説明】
【００２９】
【図１】本発明の実施形態のアームピースカバーが装着されたワイパーアームを示す側面図である。
【図２】本発明の実施形態のアームピースカバーが装着されたワイパーアームを示す平面図である。
【図３】本発明の実施形態のアームピースカバーが装着されたワイパーアームのアームピースカバー周辺を示す斜視図である。
【図４】本発明の実施形態のアームピースカバーを示す斜視図である。
【図５】本発明の実施形態のアームピースカバーが装着されるワイパーアームの一部を示す側面図である。
【図６】従来のワイパーアームを示す側面図である。
【図７】従来のワイパーアームを示す平面図である。
【符号の説明】
【００３０】
１  ワイパーアーム
２  アームヘッド
３  リテーナ
３Ｂ  リテーナの前端
４  アームピース
４Ｂ  ダボ
１０  アームピースカバー
１１  上面
１２  下面
１２Ａ  ダボ孔
１３  第１の側面
１４  第２の側面
１４Ａ  傾斜部
１５  隙間
１６  隙間
【図１】
2008230471.tif 000003
【図２】
2008230471.tif 000004
【図３】
2008230471.tif 000005
【図４】
2008230471.tif 000006
【図５】
2008230471.tif 000007
【図６】
2008230471.tif 000008
【図７】
2008230471.tif 000009